(57)【特許請求の範囲】
【請求項１】
電気絶縁性を有する材料からなる筐体と、
締結部材と、
電気絶縁性を有する材料からなり、凹部を有する取付部材とを備え、
前記筐体は、前記締結部材の少なくとも一部が内部に収容される壁部を含み、
前記取付部材の前記凹部の内周壁面は、前記壁部の外周面と対向して配置される、電気機器。
【請求項２】
前記取付部材は、前記締結部材に当接するとともに、前記筐体の内面に係合する第１係合部を有し、
前記筐体の内面には、前記取付部材の第１係合部と係合する第２係合部が設けられている、請求項１に記載の電気機器。
【請求項３】
前記筐体は、貫通孔を有し、
前記締結部材は、前記筐体の内部に配置され、ねじ穴を有し、
ねじが、前記筐体の外部から前記貫通孔を介して前記締結部材のねじ穴に螺合されるように構成されている、請求項１または２に記載の電気機器。
【請求項４】
前記筐体の内面には、前記締結部材のねじ穴を前記筐体の貫通孔に位置合わせする位置決め部が設けられている、請求項３に記載の電気機器。
【請求項５】
前記位置決め部は、前記壁部の内壁面に設けられている、請求項４に記載の電気機器。
【請求項６】
前記締結部材は、前記ねじの先端を受け止め可能なねじ受部を含む、請求項３〜５のいずれか１項に記載の電気機器。
【請求項７】
前記取付部材は、前記筐体の内面側に前記締結部材を付勢する付勢部をさらに含む、請求項１〜６のいずれか１項に記載の電気機器。
【請求項８】
前記付勢部は、前記取付部材に一体的に形成されるとともに前記取付部材と前記締結部材との間に配置された撓み変形可能な凸部を含む、請求項７に記載の電気機器。
【請求項９】
前記締結部材は、前記筐体の内面に近づくにつれて間隔が大きくなるように傾斜した一対の傾斜部を有し、
前記付勢部は、前記一対の傾斜部にそれぞれ当接するように設けられた一対の前記撓み変形可能な凸部を含む、請求項８に記載の電気機器。
【請求項１０】
前記筐体は後部筐体であり、
前記壁部は枠状壁部である、請求項１〜９のいずれか１項に記載の電気機器。
【発明の詳細な説明】
【技術分野】
【０００１】
この発明は、電気機器に関する。
【背景技術】
【０００２】
従来、壁掛け具を取り付け可能なテレビジョン装置が知られている（たとえば、特許文献１参照）。
【０００３】
上記特許文献１には、表示パネル（表示部）と、表示パネルを収納する後部筐体と、壁掛け具取り付け用の内側固定具とを備えたテレビジョン装置が開示されている。内側固定具は、板金製であり、後部筐体の内側に配置されている。この内側固定具は、表示パネルの背面側に内側固定具を固定するための複数の貫通孔を有する基部と、基部から切り起こされて形成されたねじ穴を有するねじ止め部とを含んでいる。そして、内側固定具は、ねじ止め部のねじ穴が後部筐体に形成された貫通孔と重なる位置に配置された状態で、基部の複数の貫通孔を介して表示パネルにねじ止めされている。壁掛け具の取付時には、壁掛け具固定用のねじを、後部筐体の外側から、壁掛け具の貫通孔と、後部筐体の貫通孔とを通して、内側固定具のねじ止め部のねじ穴に螺合させる。これにより、壁掛け具が後部筐体に固定されるように構成されている。
【先行技術文献】
【特許文献】
【０００４】
【特許文献１】特開２００９−２６５２２３号公報
【発明の概要】
【発明が解決しようとする課題】
【０００５】
しかしながら、上記特許文献１に記載のテレビジョン装置では、内側固定具の複数箇所を表示パネルの背面側にねじ止めする必要があるため、組立工程中に、内側固定具を固定するために複数のねじを締め付ける工程が必要になるという不都合がある。このため、上記特許文献１では、壁掛け具の取付構造を設ける場合には、複数のねじ締め工程を追加する必要があるため、装置の組立作業性が低下してしまうという問題点がある。
【０００６】
この発明は、上記のような課題を解決するためになされたものであり、この発明の目的は、装置の組立作業性が低下するのを抑制することが可能であるとともに、筐体の内部の回路基板などへ静電気の影響が及ぶのを防止することが可能な電気機器を提供することである。
【課題を解決するための手段】
【０００７】
この発明の一の局面による電気機器は、電気絶縁性を有する材料からなる筐体と、締結部材と、電気絶縁性を有する材料からなり、凹部を有する取付部材とを備え、筐体は、締結部材の少なくとも一部が内部に収容される壁部を含み、取付部材の凹部の内周壁面は、壁部の外周面と対向して配置される。
これにより、金属製の締結部材を用いた場合にも、締結部材が電気絶縁性を有する取付部材に覆われるので、筐体の貫通孔を介して進入する静電気で締結部材が帯電したとしても、静電気を取付部材で遮蔽して筐体の内部の回路基板などへ静電気の影響が及ぶのを防止することができる。
上記一の局面による電気機器において、好ましくは、取付部材は、締結部材に当接するとともに、筐体の内面に係合する第１係合部を有し、筐体の内面には、取付部材の第１係合部と係合する第２係合部が設けられている。
このように構成すれば、取付部材の第１係合部と筐体の内面の第２係合部とを係合させるだけで、容易に、取付部材を筐体の内面に取り付けることができるので、装置の組立作業性が低下するのを容易に抑制することができる。
【０００８】
上記一の局面による電気機器において、好ましくは、筐体は、貫通孔を有し、締結部材は、筐体の内部に配置され、ねじ穴を有し、ねじが、筐体の外部から貫通孔を介して締結部材のねじ穴に螺合されるように構成されている。
これにより、ねじ穴を有する締結部材と、締結部材を保持するとともに、筐体の内面に係合する第１係合部を有する取付部材とを設け、壁掛け具を筐体に取り付けるためのねじを、筐体の外部から貫通孔を介して取付部材に保持された締結部材のねじ穴に螺合させることにより、壁掛け具を筐体の外面に取り付け可能に構成することによって、取付部材の第１係合部を筐体の内面に係合させるだけで、締結部材を筐体に取り付けることができる。これにより、壁掛け具の取付構造を設ける場合にも、装置の組立作業性が低下するのを抑制することができる。
【００１０】
上記一の局面による電気機器において、好ましくは、筐体の内面には、締結部材のねじ穴を筐体の貫通孔に位置合わせする位置決め部が設けられている。このように構成すれば、取付部材を筐体に係合させて締結部材を保持させる簡易な構成であっても、締結部材と筐体の貫通孔との位置合わせを精度良く行うことができる。
【００１１】
この場合、好ましくは、位置決め部は、壁部の内壁面に設けられている。
【００１３】
上記一の局面による電気機器において、好ましくは、締結部材は、ねじの先端を受け止め可能なねじ受部を含む。このように構成すれば、壁掛け具の取り付け時に、壁掛け具取付用のねじを締め過ぎた場合にも、締結部材のねじ受部によってねじの先端を受け止めることができる。ここで、壁掛け具を電気機器へ取り付けるのはユーザによって行われることも多く、その場合、長過ぎるねじを誤って使用した場合などに、ねじを締め過ぎてしまうことがある。このような場合にも、筐体の内部で壁掛け具取付用のねじの先端が突出して、取付部材が脱落したり、ねじが内部の回路基板などに接触したりするのを防止することができる。
【００１５】
上記一の局面による電気機器において、好ましくは、取付部材は、筐体の内面側に締結部材を付勢する付勢部をさらに含む。このように構成すれば、壁掛け具を取り付けていない状態（締結部材がねじ固定されていない状態）でも、締結部材は付勢部によって筐体側に押圧された状態で保持される。これにより、微小な隙間による締結部材のガタつきが防止されるので、たとえば電気機器がスピーカなどの震動源を備えている場合に、スピーカの音圧（振動）に起因して締結部材がいわゆるびびり音を発生させるのを防止することができる。
【００１６】
この場合において、好ましくは、付勢部は、取付部材に一体的に形成されるとともに取付部材と締結部材との間に配置された撓み変形可能な凸部を含む。このように構成すれば、取付部材を筐体に取り付けて締結部材を保持させるだけで、容易に、取付部材と締結部材との間の凸部によって締結部材を付勢することができる。
【００１７】
上記付勢部が取付部材に一体的に形成された凸部を含む構成において、好ましくは、締結部材は、筐体の内面に近づくにつれて間隔が大きくなるように傾斜した一対の傾斜部を有し、付勢部は、一対の傾斜部にそれぞれ当接するように設けられた一対の撓み変形可能な凸部を含む。このように構成すれば、付勢部は、締結部材を筐体の内面側に付勢するだけでなく、一対の凸部によって一対の傾斜部の間に向かう力を作用させることができるので、筐体の内面に沿う方向の締結部材の位置ずれを規制することができる。
【発明の効果】
【００２７】
本発明によれば、上記のように、装置の組立作業性が低下するのを抑制することができる。
【図面の簡単な説明】
【００２８】
【図１】本発明の第１実施形態による液晶テレビジョン装置を前側から見た全体斜視図である。
【図２】本発明の第１実施形態による液晶テレビジョン装置を後ろ側から見た全体斜視図である。
【図３】本発明の第１実施形態による液晶テレビジョン装置の分解斜視図である。
【図４】本発明の第１実施形態による液晶テレビジョン装置のブロック図である。
【図５】本発明の第１実施形態による液晶テレビジョン装置のリアカバーの内面側の斜視図である。
【図６】本発明の第１実施形態による液晶テレビジョン装置の固定部を示した斜視図である。
【図７】本発明の第１実施形態による液晶テレビジョン装置のリアカバーの内面を示した平面図である。
【図８】図６の５００−５００線に沿った断面図である。
【図９】本発明の第１実施形態による液晶テレビジョン装置の締結部材の斜視図である。
【図１０】本発明の第１実施形態による液晶テレビジョン装置のキャップを底面側から見た平面図である。
【図１１】本発明の第１実施形態による液晶テレビジョン装置の締結部材の機能を説明するための模式図である。
【図１２】本発明の第１実施形態による液晶テレビジョン装置の壁掛け具取付時に作用する外力を説明するための断面図である。
【図１３】本発明の第１実施形態による液晶テレビジョン装置の固定部内での静電気の経路を説明するための断面図である。
【図１４】本発明の第２実施形態による液晶テレビジョン装置の固定部を示した分解斜視図である。
【図１５】図１４の５１０−５１０線に沿った断面図である。
【図１６】図１４とは異なる角度から固定部を示した斜視図である。
【図１７】本発明の第２実施形態による液晶テレビジョン装置のキャップの取付動作を説明するための模式的な平面図である。
【図１８】図１４の５２０−５２０線に沿った、キャップの取付動作を説明するための断面図である。
【図１９】本発明の第３実施形態による液晶テレビジョン装置の固定部を示した分解斜視図である。
【図２０】図１９の５３０−５３０線に沿った断面図である。
【図２１】本発明の第３実施形態による液晶テレビジョン装置のキャップの取付動作を説明するための模式的な平面図である。
【図２２】本発明の第１実施形態の変形例による固定部を示した模式的な平面図である。
【発明を実施するための形態】
【００２９】
以下、本発明を具体化した実施形態を図面に基づいて説明する。
【００３０】
（第１実施形態）
図１〜図１０を参照して、本発明の第１実施形態による液晶テレビジョン装置１００の構成について説明する。なお、液晶テレビジョン装置１００は、本発明の「電気機器」および「テレビジョン装置」の一例である。
【００３１】
本発明の第１実施形態による液晶テレビジョン装置１００は、図１および図２に示すように、矩形形状を有する枠状の前部筐体１と、前部筐体１に収納された液晶モジュール２とを備えている。また、液晶テレビジョン装置１００には、液晶テレビジョン装置１００全体を支持するスタンド部材３が着脱可能に設けられている。なお、液晶モジュール２は、本発明の「表示部」の一例である。また、前部筐体１およびスタンド部材３は、共に樹脂製である。
【００３２】
また、図２および図３に示すように、前部筐体１の後面側（矢印Ｙ２方向側）には、矩形形状を有し前部筐体１よりも小さく形成された金属（板金）製のリアフレーム５が配置されている。また、リアフレーム５の裏面側には、樹脂製のリアカバー６が取り付けられている。このリアカバー６は、後方から見て矩形形状を有しているとともに、前部筐体１およびリアフレーム５よりも小さく形成されている。なお、リアカバー６は、本発明の「後部筐体」の一例である。
【００３３】
リアカバー６には、矩形状に配置された４つの貫通孔６ａが形成されている。これらの貫通孔６ａには、壁掛け具９０を固定するためのねじ８０が挿入される。すなわち、壁掛け具９０の貫通孔（図示せず）を介してねじ８０を貫通孔６ａに挿入し、リアカバー６の内部に設けられた固定部１４（図５参照）の締結部材４０（図５参照）にねじ８０を螺合させることによって、壁掛け具９０をリアカバー６の外面に取り付けることが可能である。また、リアカバー６に壁掛け具９０を取り付け、たとえば室内の壁、天井などに取り付けられた設置用金具（図示せず）などに壁掛け具９０を固定することによって、液晶テレビジョン装置１００を壁掛けで使用することが可能である。液晶テレビジョン装置１００を壁掛けで使用する場合には、スタンド部材３が取り外される。このように、第１実施形態の液晶テレビジョン装置１００は、スタンド部材３による据え置きと、壁掛け具９０による壁掛けの両方で使用することが可能なように構成されている。
【００３４】
また、図３に示すように、リアフレーム５の後面（矢印Ｙ２方向側の面）には、装置全体に電力を供給する機能を有する回路基板７および信号処理を行う回路基板８がＸ方向に所定の間隔を隔てて並べて取り付けられている。また、リアフレーム５の後面には、２つのスピーカ１１が取り付けられたスピーカ取付部材１０が取り付けられている。リアカバー６は、これらの回路基板７および回路基板８と、スピーカ取付部材１０とを後方から覆うようにして、４つのねじ９によってリアフレーム５の後面に取り付けられている。
【００３５】
なお、図４に示すように、リアフレーム５に取り付けられた信号処理用の回路基板８は、テレビジョン放送を受信可能な受信部（チューナー）１３を有している。受信部１３は、液晶モジュール２およびスピーカ１１と接続されており、アンテナ１１０により受信されたテレビジョン放送信号（映像信号および音声信号）のうち映像信号を液晶モジュール２に出力してテレビジョン放送を表示させるとともに、音声信号をスピーカ１１に出力するように構成されている。
【００３６】
ここで、第１実施形態では、図３、図５および図６に示すように、液晶テレビジョン装置１００は、上記した壁掛け具９０（図２参照）を取り付けるためのねじ８０を固定するための４つの固定部１４を備えている。４つの固定部１４は、４つの貫通孔６ａ（図２参照）に対応する位置にそれぞれ設けられている。
【００３７】
４つの固定部１４は、それぞれ同一構造を有する。図５に示すように、固定部１４は、リアカバー６の内面６ｂにおいて、貫通孔６ａに対応する位置に形成された枠状壁部２０および係合部３０と、ねじ穴４１を有する上記締結部材４０と、締結部材４０を保持するためのキャップ５０とにより構成されている。したがって、これらの枠状壁部２０および係合部３０と、締結部材４０およびキャップ５０とは、４つの貫通孔６ａに対応してそれぞれ設けられている。なお、係合部３０は、本発明の「第２係合部」の一例である。また、キャップ５０は、本発明の「取付部材」の一例である。以下、固定部１４の構成について詳細に説明する。
【００３８】
図７に示すように、枠状壁部２０は、平面視において貫通孔６ａの周囲を取り囲む略正方形状を有し、リアカバー６の内面６ｂから前方（図５のＹ１方向、リアカバー６の内部側）に延びるように形成されている。矩形状の枠状壁部２０の上下方向（Ｚ方向）に対向する一対の内側面２１には、互いに近付く方向に延びる２対のリブ状の位置決め部２２が一体的に形成されている。これらの位置決め部２２は、締結部材４０に対して上下から挟み込むように当接することにより、締結部材４０のねじ穴４１とリアカバー６の貫通孔６ａとのＺ方向の位置合わせを行うように構成されている。
【００３９】
また、係合部３０は、枠状壁部２０の側方（Ｘ方向）の両外側にそれぞれ（一対）設けられている。一対の係合部３０は、それぞれ、リアカバー６の内面から前方（図５のＹ１方向）に延びるように形成されている。図８に示すように、一対の係合部３０は、それぞれ、貫通孔６ａに対してＸ方向の外側に突出するように形成されたフック部３１と、フック部３１の反対側（Ｘ方向の内側）に形成された補強リブ３２とを有している。フック部３１はリアカバー６の内面６ｂと略平行な係合面３３を有している。フック部３１は、この係合面３３でキャップ５０の後述する係合穴５５と、リアカバー６の内面６ｂと直交するＹ方向に係合するように設けられている。補強リブ３２は、係合部３０のＺ方向の両端にそれぞれ形成されていて、貫通孔６ａ側に向かって延びるとともに、リアカバー６の内面６ｂに近付くにつれて肉厚が大きくなるように形成されている。
【００４０】
図９に示すように、締結部材４０は、帯状の板金を折り曲げることにより、断面が中空の略矩形形状となるように形成されている。締結部材４０は、帯状の板金を折り曲げて両端部（外側端部４２ａおよび内側端部４２ｂ）を重ね合わせた重複部４２と、重複部４２に対向する対向部４３と、重複部４２の外側端部４２ａと対向部４３との間を接続する側面部４４と、重複部４２の内側端部４２ｂと対向部４３との間を接続する側面部４５とを含んでいる。なお、対向部４３は、本発明の「ねじ受部」の一例である。
【００４１】
重複部４２の内側端部４２ｂには、上記したねじ穴４１が形成されており、重複部４２の外側端部４２ａには、ねじ穴４１と同心で貫通孔４６が形成されている。貫通孔４６は、ねじ穴４１のねじ穴径よりもわずかに大きい内径を有する。重複部４２は、外側端部４２ａの貫通孔４６と内側端部４２ｂのねじ穴４１とによって貫通されている。
【００４２】
対向部４３は、側面部４５の高さ分だけ間隔を隔てて、重複部４２（内側端部４２ｂ）と対向している。この対向部４３は、ねじの先端を受け止め可能なように構成されている。
【００４３】
側面部４４および４５は、それぞれ対向部４３から直立した壁状形状に形成されている。また、側面部４４と対向部４３との角部、および、側面部４５と対向部４３との角部には、板金の曲げ加工によって円弧状に傾斜した一対の傾斜部４７ａおよび４７ｂが形成されている。傾斜部４７ａおよび４７ｂは、図９に示すように、リアカバー６の内面６ｂに近づくにつれて間隔が大きくなるように傾斜している。
【００４４】
次に、図６および図８に示すように、キャップ５０は、リアカバー６の内面６ｂに対向する略矩形状の蓋部５１と、蓋部５１の周縁からリアカバー６の内面６ｂ側に向かって延びる側壁部５２と、蓋部５１の周縁から側壁部５２の外側に延びる一対の係合部５３とを一体的に含んでいる。また、キャップ５０は、電気絶縁性を有する樹脂材料により形成されている。キャップ５０は、一対の係合部５３をリアカバー６の一対の係合部３０にそれぞれ係合させることによってリアカバー６に着脱可能に構成されており、枠状壁部２０に嵌め込まれた締結部材４０が脱落しないように保持する機能を有する。
【００４５】
キャップ５０の側壁部５２は、平面視において枠状壁部２０に対応する略正方形状を有し、側壁部５２が枠状壁部２０の外周に嵌合可能なように形成されている。側壁部５２は、締結部材４０の周囲をリアカバー６の枠状壁部２０ごと取り囲んで覆うように設けられている。キャップ５０は、この側壁部５２と側壁部５２を覆う蓋部５１とによって、リアカバー６の内面６ｂ側で締結部材４０を覆うキャップ形状に形成されている。
【００４６】
一対の係合部５３は、側壁部５２の側方（Ｘ方向）の両外側にそれぞれ設けられており、蓋部５１からリアカバー６の内面６ｂ側に延びるように形成されている。係合部５３は、貫通孔からなる係合穴５５が形成された環状の腕部５４を含んでいる。この係合穴５５にリアカバー６の係合部３０のフック部３１が挿入されることにより、フック部３１の係合面３３と係合穴５５の端面５５ａ（腕部５４の内側面）とが係合するように構成されている。第１実施形態では、係合部５３の係合穴５５がリアカバー６の係合部３０のフック部３１の外側から係合するように構成されている。また、係合部５３には補強リブなどが設けられておらず、係合部５３は、リアカバー６の係合部３０よりも撓みやすくなるように形成されている。なお、係合穴５５は、本発明の「係合凹部」の一例である。
【００４７】
また、図８および図１０に示すように、キャップ５０の蓋部５１の内面には、撓み変形可能な凸部５６ａおよび５６ｂが２つずつ、蓋部５１と一体的に形成されている。これらの凸部５６ａおよび５６ｂは、蓋部５１と締結部材４０との間に配置され、キャップ５０がリアカバー６に取り付けられた状態で締結部材４０に当接して撓み変形するように構成されている。これにより、４つの凸部５６ａおよび５６ｂは、締結部材４０をリアカバー６の内面６ｂに対して付勢する機能を有する。なお、凸部５６ａおよび５６ｂは、本発明の「付勢部」の一例である。
【００４８】
また、凸部５６ａおよび５６ｂは、Ｘ方向の両側に２つ（一対）ずつ、それぞれＺ方向に並ぶように配置されている。Ｘ２方向側の２つの凸部５６ａは、締結部材４０の傾斜部４７ａに当接するように配置されており、Ｘ１方向側の２つの凸部５６ｂは、締結部材４０の傾斜部４７ｂに当接するように配置されている。このため、締結部材４０は、２つの凸部５６ａにより傾斜部４７ａでＸ１方向側に付勢されるとともに、２つの凸部５６ｂにより傾斜部４７ｂでＸ２方向側に付勢されている。
【００４９】
以上のような構成により、第１実施形態による液晶テレビジョン装置１００では、壁掛け具９０（図２参照）をリアカバー６に取り付けるためのねじ８０を、リアカバー６の外部から貫通孔６ａを介してキャップ５０に保持された締結部材４０のねじ穴４１に螺合させることにより、壁掛け具９０をリアカバー６の外面に取り付け可能に構成されている。
【００５０】
次に、図５および図８を参照して、キャップ５０の取り付けについて説明する。
【００５１】
第１実施形態では、図５および図８に示すように、キャップ５０をリアカバー６の内側から内面６ｂに向けて押圧するだけでキャップ５０を取り付けることが可能である。
【００５２】
より具体的には、まず、締結部材４０をねじ穴４１がリアカバー６の貫通孔６ａと対向する向きで枠状壁部２０内にセットする。この際、枠状壁部２０の位置決め部２２によって締結部材４０のＺ方向の位置合わせが行われる。続いて、キャップ５０の側壁部５２を枠状壁部２０の外周に嵌め込むようにして、キャップ５０をリアカバー６の内面６ｂに向けて移動させる。このとき、図８に示すように、係合部５３の環状の腕部５４が係合部３０のフック部３１の外側（Ｘ方向外側）に乗り上げるように撓み変形する。一方、係合部３０には補強リブ３２が設けられているため、ほとんど変形することがない。腕部５４が係合部３０のフック部３１を乗り越えると、腕部５４の撓みが解放されるとともに内側（Ｘ方向内側）に復元することによって、係合穴５５にフック部３１が嵌り込む。これにより、係合穴５５の端面５５ａとフック部３１の係合面３３とがＹ方向に当接して、キャップ５０の係合部５３とリアカバー６の係合部３０とが係合状態となり、キャップ５０がリアカバー６に固定される。
【００５３】
次に、図１１を参照して、締結部材４０のねじ受けおよび締結部材４０の変形の防止について説明する。なお、図１１では、説明の便宜のために、キャップ５０や枠状壁部２０を省略して模式的に図示している。
【００５４】
図１１に示すように、壁掛け具９０の取り付けの際に軸長の長いねじＳが誤って使用された場合などには、ねじＳが過度にねじ込まれるおそれがある。この場合に、第１実施形態では、重複部４２の貫通孔６ａおよびねじ穴４１を貫通したねじ先端が対向部４３に当接することによって受け止められ、それ以上のねじ込みを防止することが可能となる。
【００５５】
また、この状態でさらにねじＳがねじ込まれると、対向部４３が押圧されることにより、重複部４２の外側端部４２ａと内側端部４２ｂとが互いに引っ張られることとなる。この場合にも、ねじＳが外側端部４２ａの貫通孔６ａと内側端部４２ｂのねじ穴４１の両方に挿入されているため、ねじＳ自体が外側端部４２ａと内側端部４２ｂとを固定するくさびとして機能し、外側端部４２ａと内側端部４２ｂとが開き変形を起こすのが防止される。
【００５６】
次に、図１２を参照して、キャップ５０の脱落抑制作用について説明する。
【００５７】
図１２に示すように、壁掛け具９０の取り付け時には、ねじ８０による内側（Ｙ１方向側、前方）方向の外力Ｆ１が締結部材４０を介してキャップ５０に対して加えられる。また、作業者によって内側（Ｙ１方向側、前方）方向の外力Ｆ２がリアカバー６の貫通孔６ａ周辺に加えられることが考えられる。
【００５８】
このとき、キャップ５０の一対の係合部５３には、それぞれ、外力Ｆ１によって貫通孔６ａを中心としたＸ方向内側に傾斜した方向に引き上げられるような力Ｆ３が作用する。第１実施形態では、キャップ５０の係合部５３（係合穴５５）がリアカバー６の係合部３０（フック部３１）に対してＸ方向の外側から係合しているため、壁掛け具９０の取り付け時に作用する力Ｆ３は、係合部５３と係合部３０とをより強く係合させるように作用する。また、リアカバー６の係合部３０は、補強リブ３２によって補強され撓み難いため、力Ｆ３が作用した場合にも、リアカバー６の係合部３０が撓んで係合が解除されてしまうことが抑制される。
【００５９】
また、外力Ｆ２がリアカバー６の貫通孔６ａ周辺に加えられると、一点鎖線で示したように、リアカバー６が貫通孔６ａを中心としてわずかに内側に湾曲することが考えられる。この場合にも、リアカバー６の一対の係合部３０がそれぞれＸ方向外側に変位して、リアカバー６の湾曲が係合部５３と係合部３０とをより強く係合させるように作用する。
【００６０】
以上の結果、第１実施形態では、キャップ５０をリアカバー６に係合させる簡素な取付構造でも、壁掛け具９０の取り付け作業時にキャップ５０および締結部材４０の脱落を抑制することが可能である。
【００６１】
次に、図１３を参照して、キャップ５０による静電気の進入抑制について説明する。
【００６２】
図１３に示すように、リアカバー６の貫通孔６ａの内側に金属製の締結部材４０が保持されているため、静電気が外部から貫通孔６ａを介して侵入し、締結部材４０が帯電する可能性がある。第１実施形態では、締結部材４０がリアカバー６の内面６ｂ側で電気絶縁性を有する樹脂からなるキャップ５０によって覆われているため、静電気がキャップ５０によって遮蔽される。このため、リアカバー６の内部の回路基板７および回路基板８に静電気の影響が及ぶのを抑制することが可能である。また、静電気により帯電した締結部材４０と回路基板７または８との空間距離Ｄは、リアカバー６の枠状壁部２０と、枠状壁部２０が嵌り込むキャップ５０の側壁部５２と、側壁部５２のリアカバー６の内面６ｂ側の端部とを迂回して回路基板７または８に至る経路の合計距離に相当する。このため、空間距離Ｄが大きくなることから、回路基板７または８への静電気の影響がより効果的に抑制される。
【００６３】
第１実施形態では、上記のように、ねじ穴４１を有する締結部材４０と、締結部材４０を保持するとともに、リアカバー６の内面６ｂに係合する係合部５３を有するキャップ５０とを設け、壁掛け具９０をリアカバー６に取り付けるためのねじ８０を、リアカバー６の外部から貫通孔６ａを介してキャップ５０に保持された締結部材４０のねじ穴４１に螺合させることにより、壁掛け具９０をリアカバー６の外面に取り付け可能に構成することによって、キャップ５０の係合部５３をリアカバー６の内面６ｂに係合させるだけで、締結部材４０をリアカバー６に取り付けることができる。これにより、壁掛け具９０の取付構造（固定部１４）を設ける場合にも、液晶テレビジョン装置１００の組立作業性が低下するのを抑制することができる。
【００６４】
また、第１実施形態では、上記のように、リアカバー６の内面６ｂに、キャップ５０の係合部５３と係合する係合部３０を設けることによって、キャップ５０の係合部５３とリアカバー６の内面６ｂの係合部３０とを係合させるだけで、容易に、キャップ５０をリアカバー６の内面６ｂに取り付けることができるので、液晶テレビジョン装置１００の組立作業性が低下するのを容易に抑制することができる。
【００６５】
また、第１実施形態では、上記のように、リアカバー６の内面６ｂに、締結部材４０のねじ穴４１をリアカバー６の貫通孔６ａに位置合わせする位置決め部２２を設けることによって、キャップ５０をリアカバー６に係合させて締結部材４０を保持させる簡易な構成であっても、締結部材４０とリアカバー６の貫通孔６ａとの位置合わせを精度良く行うことができる。
【００６６】
また、第１実施形態では、上記のように、リアカバー６の内面６ｂに、締結部材４０の外周を取り囲むとともに位置決め部２２を有する枠状壁部２０を設けることによって、枠状壁部２０によりリアカバー６の側にも締結部材４０を保持させることができる。また、枠状壁部２０によって位置決め部２２の機械的強度を向上させることができるので、壁掛け具９０の取り付け時のねじ締め作業などで外部から締結部材４０に力が加わる場合などにも、締結部材４０の位置ずれを抑制することができる。
【００６７】
また、第１実施形態では、上記のように、キャップ５０に、枠状壁部２０を取り囲むとともに枠状壁部２０と嵌合可能な側壁部５２を形成することによって、キャップ５０の側壁部５２をリアカバー６の枠状壁部２０の外周に嵌め込むことにより、キャップ５０のリアカバー６への取り付けを強固にすることができる。このため、キャップ５０をリアカバー６に係合させる簡易な構成であってもキャップ５０が外れ難くなるので、締結部材４０をより確実に保持することができる。
【００６８】
また、第１実施形態では、上記のように、締結部材４０に、ねじ８０の先端を受け止め可能な対向部４３を設けることによって、壁掛け具９０の取り付け時に、壁掛け具９０取付用のねじ８０を締め過ぎた場合や、長軸のねじＳ（図１１参照）を用いた場合などにも、締結部材４０の対向部４３によってねじ８０の先端を受け止めることができる。これにより、リアカバー６の内部で壁掛け具９０取付用のねじ８０（Ｓ）の先端が突出して、キャップ５０が脱落したり、ねじ８０（Ｓ）が内部の回路基板７および８などに接触したりするのを防止することができる。
【００６９】
また、第１実施形態では、上記のように、締結部材４０を、金属製の板状部材を折り曲げて両端部を重ね合わせた重複部４２と、重複部４２に対向する対向部４３とを含むように形成し、締結部材４０のねじ穴４１が重複部４２を貫通するように設けるとともに、対向部４３をねじ受け可能に構成することによって、ねじ８０（Ｓ）の締め過ぎを防止することができるとともに、重複部４２で連結されることによって締結部材４０が変形するのを抑制することができる。
【００７０】
また、第１実施形態では、上記のように、キャップ５０に、リアカバー６の内面６ｂ側に締結部材４０を付勢する凸部５６ａおよび５６ｂを形成することによって、壁掛け具９０を取り付けていない状態（締結部材４０がねじ固定されていない状態）でも、締結部材４０は凸部５６ａおよび５６ｂによってリアカバー６の内面６ｂ側に押圧された状態で保持される。これにより、微小な隙間による締結部材４０のガタつきが防止されるので、スピーカ１１の音圧（振動）などに起因して締結部材４０がいわゆるびびり音を発生させるのを防止することができる。
【００７１】
また、第１実施形態では、上記のように、凸部５６ａおよび５６ｂを、キャップ５０と締結部材４０との間で撓み変形可能なように構成し、キャップ５０に一体的に形成することによって、キャップ５０をリアカバー６に取り付けて締結部材４０を保持させるだけで、容易に、キャップ５０と締結部材４０との間の凸部５６ａおよび５６ｂによって締結部材４０を付勢することができる。
【００７２】
また、第１実施形態では、上記のように、リアカバー６の内面６ｂに近づくにつれて間隔が大きくなるように傾斜した一対の傾斜部４７ａおよび４７ｂを締結部材４０に形成し、一対の撓み変形可能な凸部５６ａおよび５６ｂを、一対の傾斜部４７ａおよび４７ｂにそれぞれ当接するように配置することによって、リアカバー６の内面６ｂに沿うＸ方向の締結部材４０の位置ずれを規制することができる。
【００７３】
また、第１実施形態では、上記のように、電気絶縁性を有する樹脂材料により形成したキャップ５０により金属製の締結部材４０を覆うことによって、リアカバー６の貫通孔６ａを介して進入する静電気をキャップ５０で遮蔽して、リアカバー６の内部の回路基板７および８などへ静電気の影響が及ぶのを防止することができる。
【００７４】
また、第１実施形態では、上記のように、キャップ５０に、締結部材４０の側方を取り囲む側壁部５２と、側壁部５２を覆う蓋部５１とを形成してキャップ形状を有するように構成することによって、キャップ形状のキャップ５０によって確実に締結部材４０を覆うことができるとともに、締結部材４０を安定して保持することができる。
【００７５】
また、第１実施形態では、上記のように、リアカバー６の係合部３０に、貫通孔６ａに対して外側（Ｘ方向外側）に突出するフック部３１を形成し、キャップ５０の係合部５３に係合穴５５を形成し、フック部３１の外側から係合穴５５をフック部３１に係合可能に構成することによって、図１２に示したように、ねじ締め時にキャップ５０の係合が解除されるのを抑制することができる。
【００７６】
また、第１実施形態では、上記のように、係合穴５５を含む係合部５３を、フック部３１を含む係合部３０よりも撓み易くなるよう形成し、係合部５３を撓ませることによりフック部３１と係合穴５５とが係合するように構成することによって、図１２に示したように、ねじ締め時に係合部５３が容易に内側（フック部３１側）に撓んでフック部３１と係合穴５５との係合をより強くすることができる。また、係合部３０を撓ませずに係合部５３と係合させることができるので、係合部３０に補強リブ３２を設けることができる。この結果、ねじ締め時に作用する外力Ｆ２によってリアカバー６の撓み（内反り）が発生した場合にも、係合部３０がほとんど撓むことなく係合部５３と係合部３０との係合状態を維持することができる。
【００７７】
また、第１実施形態では、上記のように、キャップ５０に、リアカバー６の内面６ｂに対向する蓋部５１と、蓋部５１の周縁からリアカバー６の内面６ｂ側に向かって延びる側壁部５２とを形成し、係合部５３を、蓋部５１の周縁から外側に延びるとともに、側壁部５２の外側で係合穴５５がフック部３１と係合するように形成することによって、蓋部５１と側壁部５２とによってキャップ５０の機械的強度を向上させることができる。これにより、キャップ５０自体を外力によって変形し難くすることができるので、キャップ５０に締結部材４０を確実に保持させておくことができる。また、係合部５３が側壁部５２の外側で係合穴５５がフック部３１と係合するので、蓋部５１と側壁部５２とによりキャップ５０自体の機械的強度を向上させながら、容易に、係合部５３を撓みやすくすることができる。
【００７８】
（第２実施形態）
次に、図１４〜図１６および図１８を参照して、本発明の第２実施形態による液晶テレビジョン装置２００について説明する。この第２実施形態では、キャップ５０の係合部５３（腕部５４）を撓ませてキャップ５０（係合部５３）とリアカバー６（係合部３０）とを係合させるように固定部１４を構成した上記第１実施形態と異なり、キャップ１５０をリアカバー１０６の内面１０６ｂに沿ってスライド移動させることにより、キャップ１５０とリアカバー１０６とを係合させるように固定部１１４を構成した例について説明する。なお、第２実施形態では、固定部１１４以外の構成は上記第１実施形態と同様であるので、固定部１１４以外の構成の説明は省略する。
【００７９】
図１４に示すように、第２実施形態による液晶テレビジョン装置２００の固定部１１４は、リアカバー１０６の内面１０６ｂにおいて、貫通孔１０６ａに対応する位置に形成された枠状壁部２０および一対の係合部１３０と、締結部材４０と、締結部材４０を保持するためのキャップ１５０とにより構成されている。また、第２実施形態では、リアカバー１０６の内面１０６ｂには、キャップ１５０の移動を規制するための規制部１６０（図１６参照）と、傾斜部１７０とが形成されている。なお、枠状壁部２０および締結部材４０は、上記第１実施形態と同様の構成を有する。なお、リアカバー１０６およびキャップ１５０は、それぞれ、本発明の「後部筐体」および「取付部材」の一例である。また、係合部１３０は、本発明の「第２係合部」および「第２係合片」の一例である。
【００８０】
一対の係合部１３０は、枠状壁部２０のＸ方向の両外側にそれぞれ設けられている。図１４および図１５に示すように、係合部１３０は、リアカバー１０６の内面１０６ｂから内部側（Ｙ１方向側）へ立ち上がる第１部分１３１と、第１部分１３１の頂部からリアカバー１０６の内面１０６ｂに沿って枠状壁部２０側へ延びる第２部分１３２と、第２部分１３２の枠状壁部２０側端部から内面１０６ｂに向けて延びる第３部分１３３とを一体的に含む係合片からなる。これにより、係合部１３０は、Ｚ１方向側から見ると、第１部分１３１、第２部分１３２および第３部分１３３の内面によって囲まれた溝状部１３４を有している。また、係合部１３０のＺ２方向側には、補強リブ１３６によって補強された壁部１３５が形成されている。このため、溝状部１３４のＺ２方向側端部は、壁部１３５の内面によって塞がれている。また、第１部分１３１および第２部分１３２の外表面には、３本の筋状の補強リブ１３７が形成されており、係合部１３０が補強されている。
【００８１】
第２実施形態によるキャップ１５０は、蓋部１５１と、長手側の一対の側壁部１５２ａおよび短手側の一対の側壁部１５２ｂとを一体的に有し、直方体状のキャップ形状に形成されている。また、長手側の一対の側壁部１５２ａのＺ１方向側の位置には、それぞれ係合部１５３が一体的に形成されている。図１８に示すように、キャップ１５０の長手側の内寸（長さＬ１）は、略正方形状の枠状壁部２０の外寸（長さＬ２）よりも大きい。このため、キャップ１５０は、枠状壁部２０の外側に嵌め込まれた状態で、長手方向（Ｚ方向）にスライド移動させることが可能なように構成されている。なお、係合部１５３は、本発明の「第１係合部」および「第１係合片」の一例である。
【００８２】
図１４および図１５に示すように、係合部１５３は、係合部１３０の溝状部１３４に対応するように形成された係合片からなる。具体的には、側壁部１５２ａの下辺からリアカバー１０６の内面１０６ｂに沿うようにしてＸ方向の外側（係合部１３０側）に延びる第１部分１５４と、第１部分１５４の外側（係合部１３０側）端部から立ち上がる第２部分１５５と、Ｚ１方向側端部に設けられた壁状の第３部分１５６とを一体的に含んでいる。係合部１５３は、第１部分１３１および第２部分１３２が係合部１３０の溝状部１３４に挿入されることにより、リアカバー１０６の係合部１３０と内面１０６ｂに垂直なＹ方向に係合するように形成されている。
【００８３】
なお、第２実施形態によるキャップ１５０には、第１実施形態のキャップ５０と同様、係合部１５３と係合部１３０とが係合した状態で、締結部材４０をリアカバー１０６側に付勢する一対の凸部１５７が、蓋部１５１の内面側に形成されている。凸部１５７は、本発明の「付勢部」の一例である。
【００８４】
図１６に示すように、規制部１６０は、枠状壁部２０のＺ２方向側に形成され、リアカバー１０６の内面１０６ｂから略垂直に立ち上がる係止面１６１と、係止面１６１から枠状壁部２０向かうにつれて内面１０６ｂに近付くように傾斜した傾斜面１６２とを含んでいる。係止面１６１は、係合部１５３と係合部１３０とが係合した状態で、キャップ１５０の短手側の側壁部１５２ｂの内面と当接する（図１８参照）ように構成されている。
【００８５】
図１４に示すように、傾斜部１７０は、枠状壁部２０のＺ１方向側の表面からＺ１方向に延びるように直線状に形成されている。傾斜部１７０は、枠状壁部２０から離れるにつれて内面１０６ｂに近付くように傾斜している。傾斜部１７０は、係合部１５３と係合部１３０とが係合した状態で、キャップ１５０の短手側の側壁部１５２ｂの端面によってリアカバー１０６側に撓み変形する（図１８参照）ように形成されている。なお、図１８では、理解の容易化のために傾斜部１７０の傾斜を誇張して図示している。
【００８６】
次に、図１４、図１５、図１７および図１８を参照して、第２実施形態による液晶テレビジョン装置２００のキャップ１５０の取付方法について説明する。
【００８７】
まず、図１４に示すように、枠状壁部２０の内部に締結部材４０を挿入する。そして、図１７に示すように、係合部１５３とリアカバー１０６の係合部１３０とが接触しないようにキャップ１５０の位置をＺ１方向にずらした状態で、枠状壁部２０の外側にキャップ１５０を嵌め込む。続いて、キャップ１５０をリアカバー１０６の内面１０６ｂに沿ってＺ２方向にスライド移動させると、係合部１５３の第１部分１３１および第２部分１３２が係合部１３０の溝状部１３４（図１５参照）内に挿入される。これにより、図１５に示すように、係合部１５３の第１部分１５４および第２部分１５５と係合部１３０の第２部分１３２および第３部分１３３とが内面１０６ｂと直交するＹ方向に係合する。また、図１８に示すように、キャップ１５０のＺ２方向のスライド移動によって、キャップ１５０のＺ１方向側の側壁部１５２ｂが傾斜部１７０に乗り上げながら移動するとともに、Ｚ２方向側の側壁部１５２ｂが規制部１６０の傾斜面１６２に乗り上げながら移動する。
【００８８】
係合部１５３の第３部分１３３が係合部１３０のＺ１方向側の端部に当接するまでキャップ１５０を移動させる（図１７参照）と、キャップ１５０のＺ２方向側の側壁部１５２ｂが規制部１６０の傾斜面１６２を乗り越えるとともに、係止面１６１と当接する。この結果、規制部１６０より、キャップ１５０が逆方向（Ｚ１方向）にスライド移動するのが規制される。この状態では、リアカバー１０６の内面１０６ｂから傾斜部１７０が最も突出した位置（枠状壁部２０の近傍の位置）にキャップ１５０のＺ１方向側の側壁部１５２ｂが配置されるため、側壁部１５２ｂの端面によって傾斜部１７０がリアカバー１０６側に押圧され、リアカバー１０６側に撓み変形する。これにより、キャップ１５０とリアカバー１０６の内面１０６ｂとが隙間なく接するようになり、キャップ１５０のがたつきやびびりが防止される。また、図１５に示すように、キャップ１５０の内部では、一対の凸部１５７が締結部材４０の傾斜部４７ａおよび４７ｂを付勢して、貫通孔１０６ａと締結部材４０とのＸ方向の位置合わせが行われるとともに、凸部１５７の付勢力によって締結部材４０がリアカバー１０６の内面１０６ｂに密着する。
【００８９】
第２実施形態では、上記のように、締結部材４０と、リアカバー１０６の内面１０６ｂに係合する係合部１５３を有するキャップ１５０とを設けることによって、キャップ１５０の係合部１５３をリアカバー１０６の内面１０６ｂに係合させるだけで、締結部材４０をリアカバー１０６に取り付けることができる。これにより、壁掛け具９０（図２参照）の取付構造（固定部１１４）を設ける場合にも、液晶テレビジョン装置２００の組立作業性が低下するのを抑制することができる。
【００９０】
また、第２実施形態では、上記のように、リアカバー１０６の内面１０６ｂに沿ったＸ方向に突出する係合部１５３（第１部分１５４および第２部分１５５）をキャップ１５０に設け、リアカバー１０６の内面１０６ｂから立ち上がるとともに内面１０６ｂに沿ったＸ方向に延びる係合部１３０（第１部分１３１、第２部分１３２および第３部分１３３）をリアカバー１０６に形成する。そして、キャップ１５０をリアカバー１０６の内面１０６ｂに沿ったＺ２方向に移動させることにより、係合部１５３がリアカバー１０６の内面１０６ｂと直交するＹ方向で係合部１３０と係合するように構成することによって、キャップ１５０を内面１０６ｂに沿ってスライド移動させることで係合部１５３と係合部１３０とをＹ方向に係合させることができるので、係合部１５３と係合部１３０との係合に撓み変形を利用する必要がない。このため、係合部１５３および係合部１３０の機械的強度を高くすることができるので、容易に、ねじ締め時の外力（リアカバー１０６の内面１０６ｂと直交するＹ１方向の外力）に対して係合部１５３と係合部１３０との係合を強化することができる。
【００９１】
また、第２実施形態では、上記のように、係合部１５３と係合部１３０とを係合させた状態でキャップ１５０のリアカバー１０６の内面１０６ｂに沿うＺ１方向への移動を規制する規制部１６０をリアカバー１０６に形成することによって、キャップ１５０の係合を解除する方向へのスライド移動が、規制部１６０によって規制されるので、容易かつ確実に、係合部１５３と係合部１３０との係合状態を保持することができる。
【００９２】
なお、第２実施形態のその他の効果は、上記第１実施形態と同様である。
【００９３】
（第３実施形態）
次に、図１９〜図２１を参照して、本発明の第３実施形態による液晶テレビジョン装置３００について説明する。この第３実施形態では、キャップ１５０をリアカバー１０６の内面１０６ｂに沿ってＺ方向にスライド移動させることにより、キャップ１５０とリアカバー１０６とを係合させるように固定部１１４を構成した上記第２実施形態と異なり、キャップ２５０をリアカバー２０６の内面２０６ｂに沿う面内で回動させることにより、キャップ２５０とリアカバー２０６とを係合させるように固定部２１４を構成した例について説明する。なお、第３実施形態では、固定部２１４以外の構成は上記第１実施形態と同様であるので、固定部２１４以外の構成の説明は省略する。
【００９４】
図１９に示すように、第３実施形態による液晶テレビジョン装置３００の固定部２１４は、リアカバー２０６の内面２０６ｂにおいて、貫通孔６ａに対応する位置に形成された枠状壁部２２０および一対の係合部２３０ａおよび２３０ｂと、締結部材４０と、締結部材４０を保持するためのキャップ２５０とにより構成されている。なお、締結部材４０は、上記第１実施形態と同様の構成を有する。また、リアカバー２０６およびキャップ２５０は、それぞれ、本発明の「後部筐体」および「取付部材」の一例である。また、係合部２３０ａおよび２３０ｂは、それぞれ、本発明の「第２係合部」および「第２係合片」の一例である。
【００９５】
第３実施形態では、枠状壁部２２０は、一対の直線状部２２１と、一対の円弧状部２２２とを含み、貫通孔６ａを取り囲むようにリアカバー２０６に一体的に形成されている。このため、第３実施形態の枠状壁部２２０は、略長円筒形状に形成されている。一対の直線状部２２１および一対の円弧状部２２２の内面側には、それぞれリブ状の位置決め部２２３が一体的に形成されている。一対の直線状部２２１は、互いにＸ方向に対向するように配置され、一対の円弧状部２２２は、互いにＺ方向に対向するように配置されている。
【００９６】
一対の係合部２３０ａおよび２３０ｂは、枠状壁部２２０のＸ方向の両外側にそれぞれ設けられている。図２０に示すように、係合部２３０ａおよび２３０ｂは、それぞれ、リアカバー２０６の内面２０６ｂから内部側（Ｙ１方向側）へ立ち上がる第１部分２３１と、第１部分２３１の頂部からリアカバー１０６の内面１０６ｂに沿って枠状壁部２２０側へ延びる第２部分２３２とを一体的に含む係合片からなる。これにより、係合部２３０ａおよび２３０ｂには、それぞれ、第１部分２３１および第２部分２３２とリアカバー２０６の内面２０６ｂとに囲まれた溝状部２３３が形成されている。第２部分２３２の内面（内面２０６ｂ側表面）には、リアカバー２０６側に突出するリブ状の突起部２３４が、Ｚ方向に延びるように形成されている。また、第１部分２３１および第２部分２３２の外表面には、３本の筋状の補強リブ２３５が形成されており、係合部２３０ａ（２３０ｂ）が補強されている。
【００９７】
また、図１９に示すように、Ｘ１方向側の係合部２３０ｂには、Ｚ２方向側の端部に壁部２３７が形成されており、係合部２３０ｂの溝状部２３３がＺ２方向側の端部で塞がれている。一方、係合部２３０ｂのＺ１方向側端部、および、Ｘ２方向側の係合部２３０ａのＺ方向両端部には、壁部は形成されていない。したがって、係合部２３０ｂの溝状部２３３はＺ１方向にのみ貫通しており、係合部２３０ａの溝状部２３３は、Ｚ方向の両側に貫通している。
【００９８】
第３実施形態によるキャップ２５０は、平面視で円形状の蓋部２５１と、蓋部２５１の周縁からリアカバー２０６に向けて延びる円周（円筒）状の側壁部２５２とを一体的に有する円形のキャップ形状に形成されている。また、側壁部２５２には、２つの係合部２５３ａおよび２５３ｂが一体的に形成されている。キャップ２５０の側壁部２５２の内径の大きさは、枠状壁部２２０の一対の円弧状部２２２をつなげた円の外径に対応している。キャップ２５０は、枠状壁部２２０の外側に嵌め込まれた状態で、リアカバー２０６の内面２０６ｂに沿う面内で、円弧状部２２２に沿って回動（スライド移動）させることが可能なように構成されている。係合部２５３ａおよび２５３ｂは、キャップ２５０の回動によって係合部２５３ａおよび２５３ｂがそれぞれ係合部２３０ａおよび係合部２３０ａの溝状部２３３に挿入されることにより、係合部２３０ａおよび係合部２３０ａと係合するように構成されている。なお、係合部２５３ａおよび２５３ｂは、それぞれ、本発明の「第１係合部」および「第１係合片」の一例である。
【００９９】
係合部２５３ａは、リアカバー２０６の内面２０６ｂに沿って側壁部２５２の外側に延びる板状片部２５４と、フック状の規制部２５５とを一体的に含む係合片からなる。板状片部２５４は、円周状の側壁部２５２の外周に沿って延びるように形成されている。また、板状片部２５４は、Ｘ２方向側に配置された係合部２３０ａの突起部２３４と当接可能な、側壁部２５２の外周の所定の高さ位置に形成されている。板状片部２５４は、係合部２５３ａと係合部２３０ａが係合した状態で、突起部２３４を撓み変形させるように構成されている。
【０１００】
規制部２５５は、板状片部２５４の端部から円周状の側壁部２５２の外周に沿うように延びる腕部２５６に形成されている。規制部２５５はリアカバー２０６の内面２０６ｂとは反対側（Ｙ１方向）に突出するフック形状を有し、Ｘ２方向側に配置された係合部２３０ｂのＺ１方向側端部と係合する（図２１参照）ように形成されている。
【０１０１】
また、図１９および図２１に示すように、係合部２５３ｂは、板状片部２５４のみが一体的に形成された係合片からなり、係合部２５３ｂの板状片部２５４には腕部２５６および規制部２５５が形成されていない。係合部２５３ｂの板状片部２５４は、Ｘ１方向側に配置された係合部２３０ｂの突起部２３４と当接するとともに、端部２５４ａで係合部２３０ｂの壁部２３７と当接するように構成されている。
【０１０２】
なお、図２０に示すように、係合部２５３ａおよび２５３ｂと係合部２３０ａおよび２３０ｂとがそれぞれ係合した状態で、締結部材４０をリアカバー２０６側に付勢する凸部２５７が、蓋部２５１の内面側に形成されている。凸部２５７は、本発明の「付勢部」の一例である。
【０１０３】
次に、図１９〜図２１を参照して、第３実施形態による液晶テレビジョン装置３００のキャップ２５０の取付方法について説明する。
【０１０４】
まず、図１９に示すように、枠状壁部２２０の内部に締結部材４０を挿入する。そして、図２１に示すように、係合部２５３ａが枠状壁部２２０のＺ２方向側に配置され、係合部２５３ｂが枠状壁部２２０のＺ１方向側に配置されるようにキャップ２５０の向きを合わせた状態で、枠状壁部２２０の外側にキャップ２５０を嵌め込む。続いて、キャップ２５０をリアカバー２０６の内面２０６ｂに沿う面内でＲ１方向に回動させる。これにより、係合部２５３ａがＸ２方向側の係合部２３０ａの溝状部２３３内にＺ２方向側から挿入され、係合部２５３ｂがＸ１方向側の係合部２３０ｂの溝状部２３３内にＺ１方向側から挿入される。この際、キャップ２５０の回動に伴い、係合部２５３ａの規制部２５５が腕部２５６をリアカバー２０６側に撓ませることによって溝状部２３３内に進入する。
【０１０５】
係合部２５３ａの規制部２５５が係合部２３０ａのＺ１方向側の端部を越える（溝状部２３３から抜け出る）までキャップ２５０を回動させると、腕部２５６の撓みが開放され、腕部２５６が元の位置に復元する。これにより、規制部２５５が係合部２３０ａのＺ１方向側の端部と係合し、キャップ２５０のＲ２方向への回動が規制される。また、このとき係合部２５３ｂの端部２５４ａが係合部２３０ｂのＺ２方向側の壁部２３７に当接するため、キャップ２５０のＲ１方向への更なる回動も規制される。
【０１０６】
これにより、図２０に示すように、係合部２５３ａの板状片部２５４と係合部２３０ａの突起部２３４とが当接して、係合部２５３ａと係合部２３０ａとが内面１０６ｂと直交するＹ方向に係合する。同様に、係合部２５３ｂの板状片部２５４と係合部２３０ｂの突起部２３４とが当接して、係合部２５３ｂと係合部２３０ｂとが内面１０６ｂと直交するＹ方向に係合する。また、この係合状態で係合部２３０ａおよび係合部２３０ｂのそれぞれの突起部２３４は板状片部２５４によって押圧され、Ｙ１方向に撓み変形する。これにより、キャップ２５０とリアカバー２０６とが隙間なく接するようになり、キャップ２５０のがたつきやびびりが防止される。また、キャップ２５０の内部では、凸部２５７が締結部材４０を付勢して、締結部材４０がリアカバー２０６の内面２０６ｂに密着する。
【０１０７】
第３実施形態では、上記のように、締結部材４０と、リアカバー２０６の内面２０６ｂに係合する係合部２５３ａおよび２５３ｂを有するキャップ２５０とを設けることによって、キャップ２５０の係合部２５３ａおよび２５３ｂをリアカバー２０６の内面２０６ｂに係合させるだけで、締結部材４０をリアカバー２０６に取り付けることができる。これにより、壁掛け具９０（図２参照）の取付構造（固定部２１４）を設ける場合にも、液晶テレビジョン装置３００の組立作業性を向上させることができる。
【０１０８】
また、第３実施形態では、上記のように、リアカバー２０６の内面２０６ｂに沿って突出する板状片部２５４を含む係合部２５３ａおよび２５３ｂをキャップ２５０に設け、リアカバー２０６の内面２０６ｂから立ち上がるとともに内面２０６ｂに沿ったＸ方向に延びる係合部２３０ａおよび２３０ｂ（第１部分２３１および第２部分２３２）をリアカバー２０６に形成する。そして、キャップ２５０をリアカバー２０６の内面２０６ｂに沿う方向に移動（回動）させることにより、係合部２５３ａ（２５３ｂ）がリアカバー２０６の内面２０６ｂと直交するＹ方向で係合部２３０ａ（２３０ｂ）と係合するように構成することによって、キャップ２５０をリアカバー２０６の内面２０６ｂに沿う面内で回動させることで係合部２５３ａ（２５３ｂ）と係合部２３０ａ（２３０ｂ）とをＹ方向に係合させることができるので、係合部２５３ａ（２５３ｂ）と係合部２３０ａ（２３０ｂ）との係合に撓み変形を利用する必要がない。このため、係合部２５３ａ（２５３ｂ）および係合部２３０ａ（２３０ｂ）の機械的強度を高くすることができるので、容易に、ねじ締め時の外力（リアカバー２０６の内面２０６ｂと直交するＹ１方向の外力）に対して係合部２５３ａ（２５３ｂ）と係合部２３０ａ（２３０ｂ）との係合を強化することができる。
【０１０９】
また、第３実施形態では、上記のように、係合部２５３ａ（２５３ｂ）と係合部２３０ａ（２３０ｂ）とを係合させた状態でキャップ２５０のリアカバー２０６の内面２０６ｂに沿う面内のＲ２方向への移動を規制する規制部２５５をキャップ２５０に形成することによって、キャップ２５０の係合を解除するＲ２方向への回動が、規制部２５５によって規制されるので、容易かつ確実に、係合部２５３ａおよび２５３ｂと係合部２３０ａおよび２３０ｂとの係合状態を保持することができる。
【０１１０】
なお、第３実施形態のその他の効果は、上記第２実施形態と同様である。
【０１１１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１２】
たとえば、上記第１〜第３実施形態では、テレビジョン装置および電子機器の一例として液晶テレビジョン装置に本発明を適用する例を示したが、本発明はこれに限られない。たとえば、テレビジョン装置以外のたとえばパーソナルコンピュータのモニタなどの他の表示装置や液晶テレビジョン装置以外のテレビジョン装置にも本発明を適用可能である。また、たとえば、フォトフレームやスピーカなどの電子機器にも本発明を適用可能である。
【０１１３】
また、上記第１実施形態では、キャップ５０の係合部５３（係合穴５５）がリアカバー６の係合部３０（フック部３１）の外側から係合するように構成した例を示したが、本発明はこれに限られない。本発明では、図２２に示す変形例のように、キャップ３５０の係合部３５３がリアカバー６の係合部３３０の内側（Ｘ方向内側）から係合するように構成してもよい。この変形例による固定部３１４では、キャップ３５０は、側壁部３５２からＸ方向の外側に突出するフック部３５５を有する一対の係合部３５３を一体的に含んでいる。キャップ３５０および係合部３５３は、本発明の「取付部材」および「第１係合部」の一例である。また、リアカバー６には、一対の係合部３３０が、一対の係合部３５３に対してＸ方向の外側に配置されている。なお、係合部３３０は、本発明の「第２係合部」の一例である。各係合部３３０は、それぞれ、Ｘ方向の内側に突出するフック部３３１と、Ｘ方向の外側に延びるとともにリアカバー６の内面６ｂに向かうにつれて幅広となるように傾斜した補強リブ３３２とを一体的に含んでいる。この変形例では、キャップ３５０を枠状壁部２０の外側に嵌め込むと、一対のフック部３５５がそれぞれ一対の係合部３３０（フック部３３１）をＸ方向外側に撓ませながら進入する。そして、フック部３５５の頂部がフック部３３１の頂部を乗り越えることによって、係合部３５３（フック部３５５）と係合部３３０（フック部３３１）がＹ方向に係合するように構成されている。
【０１１４】
また、上記第１実施形態では、本発明の係合凹部の一例として、貫通孔からなる係合穴５５をキャップ５０に形成した例を示したが、本発明はこれに限られない。本発明の係合凹部は、フック部と係合可能であれば、貫通しない凹部であってもよい。
【０１１５】
また、上記第１〜第３実施形態では、板金の折り曲げにより形成された締結部材を用いた例を示したが、本発明はこれに限られない。たとえば、一般的なナットなどの締結部材を用いてもよい。
【０１１６】
また、上記第１〜第３実施形態では、板金の折り曲げにより傾斜面が形成された締結部材を用い、キャップの凸部で傾斜面を付勢するように構成した例を示したが、本発明はこれに限られない。本発明では、締結部材に傾斜面を設けなくともよい。また、キャップに凸部を設けなくともよい。さらに、キャップに凸部を設ける場合でも、締結部材のどの部分を付勢してもよい。
【０１１７】
また、上記第１〜第３実施形態では、本発明の後部筐体の一例として、液晶テレビジョン装置の背面を部分的に覆うリアカバーを用いる例を示したが、本発明はこれに限られない。本発明ではリアカバーがテレビジョン装置の背面の全体を覆っていてもよい。
【０１１８】
また、上記第１〜第３実施形態では、リアカバーの枠状壁部に位置決め部を一体的に形成した例を示したが、本発明はこれに限られない。本発明では、位置決め部を枠状壁部とは別個に設けてもよい。また、本発明では、位置決め部を設けなくともよい。
【０１１９】
また、上記第１〜第３実施形態では、リアカバーに枠状壁部を一体的に形成した例を示したが、本発明はこれに限られない。本発明では、リアカバーに枠状壁部を設けなくともよい。
【０１２０】
また、上記第１〜第３実施形態では、本発明の取付部材の一例として、蓋部と、側壁部と、係合部（第１係合部）とを一体的に含むキャップを用いた例を示したが、本発明はこれに限られない。たとえば、側壁部を設けずに、蓋部および第１係合部のみを含む取付部材を用いてもよい。
【０１２１】
また、上記第１〜第３実施形態では、本発明の取付部材の一例として、側壁部が枠状壁部の外周を取り囲むように形成されたキャップを用いた例を示したが、本発明はこれに限られない。本発明では、キャップの側壁部が枠状壁部の外周を部分的に取り囲むように構成してもよい。
【０１２２】
また、上記第１〜第３実施形態では、本発明の取付部材の一例としてのキャップを、蓋部と側壁部とによって締結部材を覆うように形成した例を示したが、本発明はこれに限られない。本発明では、取付部材が締結部材を完全に覆うことなく、締結部材がリアカバー内部で部分的に露出するように取付部材を形成してもよい。
【符号の説明】
【０１２３】
２  液晶モジュール（表示部）
６、１０６、２０６  リアカバー（後部筐体）
６ａ、１０６ａ、２０６ａ  貫通孔
６ｂ、１０６ｂ、２０６ｂ  内面
１３  受信部
２０、２２０  枠状壁部
２２、２２３  位置決め部
３０、３３０  係合部（第２係合部）
３１  フック部
４０  締結部材
４１  ねじ穴
４２  重複部
４３  対向部（ねじ受部）
４７ａ、４７ｂ  傾斜部
５０、１５０、２５０、３５０  キャップ（取付部材）
５１、１５１、２５１  蓋部
５２、１５２ａ、１５２ｂ、２５２、３５２  側壁部
５３、３５３  係合部（第１係合部）
５５  係合穴（係合凹部）
５６ａ、５６ｂ、１５７、２５７  凸部（付勢部）
８０  ねじ
９０  壁掛け具
１００  液晶テレビジョン装置（電気機器）（テレビジョン装置）
１３０、２３０ａ、２３０ｂ  係合部（第２係合部、第２係合片）
１５３、２５３  係合部（第１係合部、第１係合片）
【図１】
0005782979.tif 000002
【図２】
0005782979.tif 000003
【図３】
0005782979.tif 000004
【図４】
0005782979.tif 000005
【図５】
0005782979.tif 000006
【図６】
0005782979.tif 000007
【図７】
0005782979.tif 000008
【図８】
0005782979.tif 000009
【図９】
0005782979.tif 000010
【図１０】
0005782979.tif 000011
【図１１】
0005782979.tif 000012
【図１２】
0005782979.tif 000013
【図１３】
0005782979.tif 000014
【図１４】
0005782979.tif 000015
【図１５】
0005782979.tif 000016
【図１６】
0005782979.tif 000017
【図１７】
0005782979.tif 000018
【図１８】
0005782979.tif 000019
【図１９】
0005782979.tif 000020
【図２０】
0005782979.tif 000021
【図２１】
0005782979.tif 000022
【図２２】
0005782979.tif 000023